(57)【要約】【課題】ミシン本体の表面において、情報の必要な場所に表示手段を配設して、ミシン本体の表面を使用した有効な情報表示を行うミシンを提供すること。  【解決手段】表示される内容が変更可能な表示用電子ペーパー４からなる表示手段とその表示手段を制御する制御手段１５とを備え、電子ペーパー４は、ミシン本体の表面に配設され且つ制御手段１５の電源が切断されている状態においても電子ペーパー４で表示された電源切断前の表示内容が消えずに表示保持される。【選択図】図５
2007252764.tif 000002
【特許請求の範囲】
【請求項１】
表示される内容が変更可能な電子ペーパーからなる表示手段とその表示手段を制御する制御手段とを備え、
前記表示手段は、ミシン本体の表面に配設され且つ前記制御手段の電源が切断されている状態においても電源切断前の表示内容を表示することを特徴とするミシン。
【請求項２】
前記表示手段は、前記ミシンの操作対象個所の近傍の位置に配設され、
前記制御手段は、操作説明の為の操作手順情報を前記表示手段に表示させるように制御することを特徴とする請求項１に記載のミシン。
【請求項３】
前記操作手順情報は、糸供給源である糸駒から針棒の下端部に装着された縫針に上糸を供給する為の複数の糸掛け経路部材への糸掛け操作手順情報であることを特徴とする請求項２に記載のミシン。
【請求項４】
前記表示手段は、前記ミシンの針板を含むベッド部の上面に配設され、
前記制御手段は、縫製基準線、縫製基準マーク、又は文字、数字、記号の少なくとも何れかを前記表示手段に表示させるように制御することを特徴とする請求項１〜３の何れかに記載のミシン。
【請求項５】
前記制御手段は、前記ミシン使用中に異常が発生した個所の近傍に対応する前記表示手段の部位に警告表示を表示させるように制御することを特徴とする請求項１〜４の何れかに記載のミシン。
【請求項６】
前記警告表示は、上糸の糸切れ発生時、又は下糸ボビンの下糸消耗時における警告表示であることを特徴とする請求項５に記載のミシン。
【請求項７】
前記ミシンは、少なくとも縫製に関わる情報を表示する液晶ディスプレイを有し、前記制御手段は、前記液晶ディスプレイに表示されない情報を前記表示手段に表示するように制御することを特徴とする請求項１〜６の何れかに記載のミシン。
【請求項８】
前記ミシンは、複数の画像データを記憶する記憶手段と、前記複数の画像データを選択する選択手段とを備え、
前記制御手段は、前記選択手段により選択された画像データを前記表示手段に表示させるように制御することを特徴とする請求項１〜７の何れかに記載のミシン。
【発明の詳細な説明】
【技術分野】
【０００１】
本発明は、ミシンに関し、ミシン本体の表面に表示手段として電子ペーパーを配設したミシンに関するものである。
【背景技術】
【０００２】
従来、電子制御ミシンには、表示される内容が変更可能な情報表示装置として液晶ディスプレイがミシン本体の表面に設けられ、この液晶ディスプレイは、縫製作業に必要な各種の機能を実行させる機能名や各種縫製関連情報等を表示するように構成されている。
【０００３】
例えば、特許文献１に記載の縫製装置においては、ミシン本体のアーム部にカラーのＬＣＤパネルが固定され、このカラーＬＣＤパネルは横長な長方形状の液晶表示領域を有し、ＬＣＤパネルの前面には、タッチパネルが重ねて取付けられている。このタッチパネルは、カラーＬＣＤパネルの液晶表示領域に対応する横長な長方形状をなしている。
【０００４】
ところで、近年、新聞や書籍等の紙媒体に代わる情報伝達媒体として、電子ペーパーと呼ばれる表示装置の研究開発が盛んに行われている。電子ペーパーは、軽量薄型で、一旦表示された情報表示は電力を必要とすることなく表示保持することができ、かつ、柔軟性に優れ、表示パネルを屈曲させることができる等の、ＬＣＤパネル等の既存の情報表示装置では実現不可能な種々の特徴が注目されている。
【特許文献１】特開２００２−１８１６４号公報（５〜６頁，図１８）
【発明の開示】
【発明が解決しようとする課題】
【０００５】
特許文献１の縫製装置では、ＬＣＤパネルに表示される表示内容は変更可能であるので、種々の有用な情報表示を行うことができる。
しかし、ＬＣＤパネルは２枚のガラス基板により構成されるため、その構造上、形状は平面状であって、且つ厚さは極端に薄くできないという制約がある。このため、大きなＬＣＤパネルをミシン本体の表面に設けるためには、ミシン本体の脚柱部の前面やアーム部の前面などのある程度広くてほぼ平面状になっているような限定された部位にしか設けることができないという問題がある。
【０００６】
また、ミシン本体の電源が切断されるとＬＣＤパネルに表示された電源切断前の表示内容は消えてしまうので、ミシン本体の電源切断後にも視認したいような情報の表示が不可能であるという問題がある。
【０００７】
本発明の目的は、ミシン本体の表面に電子ペーパーを配設して有用な情報表示を可能にし、制御手段の電源切断状態においても電源切断前の表示内容を保持可能にしたミシンを提供すること、操作対象個所の近くに操作手順情報を表示可能にしたミシンを提供すること、ベッド部の上面に設けた電子ペーパーに縫製基準線等を表示可能にしたミシンを提供すること等である。
【課題を解決するための手段】
【０００８】
請求項１のミシンは、表示される内容が変更可能な電子ペーパーからなる表示手段とその表示手段を制御する制御手段とを備え、前記表示手段は、ミシン本体の表面に配設され且つ前記制御手段の電源が切断されている状態においても電源切断前の表示内容を表示するものである。
【０００９】
電子ペーパーは薄いシート状のものであるため、ミシン本体の表面にほとんど突出しない状態にコンパクトに配設され、制御手段により、表示内容が変更可能に制御される。制御手段の電源が切断された状態においても、電子ペーパーで表示された電源切断前の表示内容が消えずに表示保持されるので、ミシン本体の表面を使用して有用な情報の表示を行うことができる。
【００１０】
請求項２のミシンは、請求項１の発明において、前記表示手段は、前記ミシンの操作対象個所の近傍の位置に配設され、前記制御手段は、操作説明の為の操作手順情報を前記表示手段に表示させるように制御するものである。
請求項３のミシンは、請求項２の発明において、前記操作手順情報は、糸供給源である糸駒から針棒の下端部に装着された縫針に上糸を供給する為の複数の糸掛け経路部材への糸掛け操作手順情報である。
【００１１】
請求項４のミシンは、請求項１〜３の何れかの発明において、前記表示手段は、前記ミシンの針板を含むベッド部の上面に配設され、前記制御手段は、縫製基準線、縫製基準マーク、又は文字、数字、記号の少なくとも何れかを前記表示手段に表示させるように制御するものである。
【００１２】
請求項５のミシンは、請求項１〜４の何れかの発明において、前記制御手段は、前記ミシン使用中に異常が発生した個所の近傍に対応する前記表示手段の部位に警告表示を表示させるように制御するものである。
請求項６のミシンは、請求項５の発明において、前記警告表示は、上糸の糸切れ発生時、又は下糸ボビンの下糸消耗時における警告表示である。
【００１３】
請求項７の発明は、請求項１〜６の何れかの発明において、前記ミシンは、少なくとも縫製に関わる情報を表示する液晶ディスプレイを有し、前記制御手段は、前記液晶ディスプレイに表示されない情報を前記表示手段に表示するように制御するものである。  
請求項８の発明は、請求項１〜７の何れかの発明において、前記ミシンは、複数の画像データを記憶する記憶手段と、前記複数の画像データを選択する選択手段とを備え、前記制御手段は、前記選択手段により選択された画像データを前記表示手段に表示させるように制御するものである。
【発明の効果】
【００１４】
請求項１の発明によれば、表示される内容が変更可能な電子ペーパーからなる表示手段とその表示手段を制御する制御手段とを備えているため、薄くてシート状の柔軟性に優れた電子ペーパーは、ミシン本体の表面がほぼ平面状である部位だけでなく、曲面状に形成されているような部位にも容易に配設することができるので、ミシン本体の表面のうち、情報の必要な部位に電子ペーパーを配設して、種々の有用な情報を逐次切換え可能に表示することができる。
【００１５】
前記電子ペーパーからなる表示手段は、制御手段の電源切断状態においても電源切断前の表示内容を表示するので、制御手段への電源投入のオン・オフに関係なく、表示を保持することができるから、作業者は、電源切断後も電子ペーパーに表示保持された情報を見ながら作業を行うことができるため、シン本体の表面を使用した有用な情報表示を行うことができる。  
【００１６】
請求項２の発明によれば、表示手段は、ミシンの操作対象個所の近傍の位置に配設され、制御手段は操作説明の為の操作手順情報を表示手段に表示させるように制御するので、操作手順やその説明内容を一層わかり易く操作対象個所の近傍の位置に表示することができる。
【００１７】
請求項３の発明によれば、操作手順情報は、糸供給源である糸駒から針棒の下端部に装着された縫針に上糸を供給する為の複数の糸掛け経路部材への糸掛け操作情報であるので上糸の掛け方を知らない作業者（特に初心者）は、その表示された操作手順情報に従って糸掛け作業を行えばよいので、上糸の糸掛け作業を容易に行うことができる。
【００１８】
請求項４の発明によれば、表示手段は、ミシンの針板を含むベッド部の上面に配設され、制御手段は、縫製基準線、縫製基準マーク、又は文字、数字、記号の少なくとも何れかを表示手段に表示させるように制御するので、作業者は、必要に応じて縫製基準線や縫製基マーク等の表示を適宜変更することができる。
【００１９】
請求項５の発明によれば、制御手段は、ミシン使用中に異常が発生した個所の近傍に対応する表示手段の部位に警告表示を表示させるように制御するので、警告表示により、作業者は、ミシン本体における異常個所を容易に認識して特定することができる。
請求項６の発明によれば、警告表示は、上糸の糸切れ発生時、又は下糸ボビンの下糸消耗時における警告表示であるので、この警告表示により、作業者は、異常の発生原因を容易に認識することができる。
【００２０】
請求項７の発明によれば、ミシンは、少なくとも縫製に関わる情報を表示する液晶ディスプレイを有し、制御手段は、前記液晶ディスプレイに表示されない情報を前記表示手段に表示するように制御するので、ミシンの本体の表面の随所に必要に応じて複数の電子ペーパーを夫々配設し、多くの有効な情報表示を行うことができる。
【００２１】
請求項８の発明によれば、ミシンは、複数の画像データを記憶する記憶手段と、複数の画像データを選択する選択手段とを備え、制御手段は、選択手段により選択された画像データを表示手段に表示させるように制御するので、作業者は、好みや目的に合わせた所望の画像を適宜表示することができる。
【発明を実施するための最良の形態】
【００２２】
本発明に係るミシンは、表示される内容が変更可能な電子ペーパーからなる表示手段とその表示手段を制御する制御手段とを備え、表示手段は、ミシン本体の表面に配設され且つ制御手段の電源が切断されている状態においても電源切断前の表示内容を表示するものである。
【実施例１】
【００２３】
以下、本発明の実施例１について図面を参照して説明する。
図１に示すように、この電子ミシンＭは、家庭用の電子制御ミシンであり、ベッド部１と、ベッド部１の右端部から立設された脚柱部２と、脚柱部２の上端からベッド部１に対向するように左方へ延びるアーム部３を有する。ミシンＭの針板１ａを含むベッド部１のほぼ左半部の上面には、文字や図等による情報を表示し、その表示内容を変更可能な表示手段として電子ペーパー４が配設されている。ベッド部１の針板１ａの下側には、送り歯（図示略）を上下動させる送り歯上下動機構（図示略）及び前後動させる送り歯前後動機構（図示略）と、下糸が巻かれた下糸ボビン５（図５参照）を収容し縫針９と協働する全回転釜（図示略）と、糸切り機構（図示略）等が設けられている。
【００２４】
アーム部３には、ミシンモータ７（図２参照）で回転駆動されるミシン主軸（図示略）と、このミシン主軸を作業者により手動操作で回転させるハンドプーリ８と、縫針９が下端部に装着された針棒３８（図７参照）を上下動させる針棒駆動機構（図示略）と、針棒３８を布送り方向と直交する方向に揺動させる針棒揺動機構（図示略）と、天秤（図示略）を針棒３８の上下動に調時して上下動させる天秤駆動機構（図示略）と、ミシン機枠に昇降可能に支持された押え棒１０をミシン機枠に装備されたステッピングモータ（図示略）により上昇位置と下降位置とに亙って昇降駆動する昇降機構（図示略）などが設けられている。押え棒１０の下端部には、押え足１０ａが取り付けられている。
【００２５】
アーム部３の前面側には、縫製作業の起動と停止を指令する起動停止スイッチ１１等が設けられている。脚柱部２の前面には、大型でカラーの液晶ディスプレイ１２が設けられ、この液晶ディスプレイ１２には、メニュー画面が表示される。その液晶ディスプレイ１２の前面には、複数のタッチキーを備えたタッチパネル１３が設けられている。
【００２６】
次に、電子ミシンＭの制御系について説明する。
図２に示すように、制御装置１５は、入力インターフェース１６と、ＣＰＵ１７とＲＯＭ１８とＲＡＭ１９と書換え可能な不揮発性のフラッシュメモリ２０とを含むコンピュータと、出力インターフェース２１と、これらを相互に接続するバス２２と、駆動回路２３〜２５等を有する。
【００２７】
入力インターフェース１６には、起動停止スイッチ１１と、複数のタッチキーを備えたタッチパネル１３と、ミシン主軸の回転位置を検出する回転位置検出センサ２６と、下糸ボビン５に巻かれた下糸の残量を検出する下糸残量検出センサ２７などが接続されている。出力インターフェース２１には、ミシンモータ７と針棒揺動用ステッピングモータ３０の為の駆動回路２３，２４と、液晶ディスプレイ１２（ＬＣＤ）の為の液晶ディスプレイコントロール（ＬＣＤＣ）２９と、電子ペーパー４の為の駆動回路２５等が接続されている。
【００２８】
ＲＯＭ１８には、通常の縫製に供する複数の通常模様（実用模様）の模様データ及び表示データ、後述する電子ペーパー表示制御の制御プログラム等が予め格納されている。さらに、ＲＯＭ１８には、ミシン使用中に下糸ボビン５の下糸消耗時に、液晶ディスプレイ１２に警告表示する為の警告表示データ、下糸ボビン５の交換方法の操作手順情報を液晶ディスプレイ１２に表示する為の操作手順表示データと、電子ペーパー４に表示する為の各種表示データが予め格納されている。
【００２９】
これら各種表示データとして、異常発生時にその異常発生個所を知らせる警告マーク３３を表示する為の警告マーク表示データと、警告内容３４と対処方法を説明する説明文３５を表示する為の説明文表示データと、全回転釜から下糸ボビン５を取出して新しい下糸ボビン５に交換する操作手順を文字や図で説明する操作手順情報（図５参照）を表示する為の下糸ボビン５の交換操作手順表示データと、ベッド部１の上面に縫製基準線を表示する為の複数種類の縫製基準線表示データ等が格納されている。ＲＡＭ１９には、種々のワークメモリなどが適宜設けられる。
【００３０】
ここで、電子ペーパー４について説明する。
電子ペーパー４は、複数のマイクロカプセルが縦方向と横方向に、例えば４００ｄｐｉの密度でマトリックス状に配列された表示層と、その表示層の裏側に配置され複数のマイクロカプセルを制御するドライバ層（電極層）とが２枚のプラスチックシートで挟まれた構造からなるマイクロカプセル型電気泳動方式のもので、ＬＣＤとほぼ同様にアクティブマトリックスで駆動制御されて模様、図形、文字等を表示可能に構成されている。電子ペーパー４は周知のものであるので、その構造について簡単に説明する。
【００３１】
透明なマイクロカプセルの内部には、青色の絶縁性液体と白色の「＋」に帯電した帯電微粒子（酸化チタン微粒子）とが封入されている。アクティブマトリックスで駆動制御されるドライバ層には、マイクロカプセルの多数の行（Ｘ方向）に対応する微細な導電性の走査線と、マイクロカプセルの多数の列（Ｙ方向）に対応する微細な多数の導電性のデータ線と、走査線とデータ線の交差点に配置されたスイッチ用トランジスタからなる多数のアクティブ素子と、多数のマイクロカプセルに対応する多数の微小電極とを有する。
【００３２】
多数の走査線へ、微小時間おきに走査性を切り換えつつ「Ｈ」レベル信号を供給し、多数のデータ線には、微小時間おきに、パルス信号を切り換えつつ多数の走査線の各々に対応するタイミングで「Ｈ」又は「Ｌ」レベル信号を供給することにより、各交差点のアクティブ素子を選択的にＯＮにすると、各交差点（各マイクロカプセル）に対応する微小電極が瞬間的に「Ｈ」レベルになり、マイクロカプセルの「＋」帯電側が表面側に反転し、白色のドットに表示される。また、アクティブ素子がＯＦＦのところの微小電極は「Ｌ」レベルを維持し、「＋」帯電側を引き付けるため青色ドットに表示される。こうして、電子ペーパー４は、例えば４００ｄｐｉの解像度で模様、図形、文字等を表示可能である。  
【００３３】
つまり、電子ペーパー４に模様等を表示する場合、ミシン本体の制御装置１５（図２参照）により、電子ペーパー４の多数の走査線と多数のデータ線に駆動制御信号を供給することで制御する。尚、電子ペーパー４は通電が遮断された状態でも、通電が遮断前の表示内容を保持する。
【００３４】
次に、制御装置１５で実行される電子ペーパー４に縫製基準線などを表示させる表示制御について、図６に基づいて説明する。但し、図中の符号Ｓｉ（ｉ＝１，２，・・）は各ステップである。ミシンＭの制御装置１５への電源投入によりこの表示制御が開始されると、必要な初期設定の実行後に、Ｓ１において液晶ディスプレイ１２にメニュー画面が表示され、Ｓ２においてはメニュー画面から縫製基準線選択画面に移行し、第１縫製基準線１４ａ，１４ｂ（図３の表示例参照）と第２縫製基準線１４ｄ，１４ｅ（図４の表示例参照）の何れかが画面のタッチキーを介して選択設定されると、その選択された第１又は第２縫製基準線を示すフラグデータがＲＡＭ１９のメモリに記憶され、何れの縫製基準線も選択されない場合は、選択されない旨のフラグデータがＲＡＭ１９のメモリに記憶される。
【００３５】
Ｓ３においては各種検出信号が読み込まれる。Ｓ４では、下糸残量検出センサ２７で読み込まれた検出信号に基づいて下糸ボビン５を交換する必要があるか否か判定され、下糸ボビン５を交換する必要がない場合は（Ｓ４：Ｎｏ）、Ｓ５において、「第１縫製基準線」が選択されているか否か判定される。
【００３６】
Ｓ５の判定がＹｅｓの場合は、ＲＯＭ１８から第１縫製基準線表示データが読込まれてＲＡＭ１９のメモリに格納され、駆動回路２５を介して電子ペーパー４が駆動制御されると、図３に示すように、ベッド部１の上面に貼り付けられた電子ペーパー４に、第１縫製基準線１４ａ，１４ｂが表示される（Ｓ６）。第１縫製基準線１４ａ，１４ｂは、ベッド部１の前後方向と平行方向に且つ等間隔おきに設けられた縦方向基線１４ｂと、ベッド部１の左右方向と平行方向に且つ等間隔おきに設けられた横方向基線１４ａとからなり、第１縫製基準線１４ａ，１４ｂのうち、針板１ａの針穴１ｂの中心位置を通る第１縫製基準線１４ａ，１４ｂには、所定間隔の目盛り１４ｃが付されている。
【００３７】
Ｓ５の判定がＮｏの場合は、Ｓ７において、「第２縫製基準線」が選択されているか否か判定され、その判定がＹｅｓの場合はＲＯＭ１８から第２縫製基準線表示データが読込まれてＲＡＭ１９のメモリに格納され、駆動回路２５を介して電子ペーパー４が駆動制御されると、図４に示すように、前記電子ペーパー４に第２縫製基準線１４ｄ，１４ｅが表示される（Ｓ８）。
【００３８】
第２縫製基準線１４ｄ，１４ｅは、ベッド部１の前後方向に対して斜め４５度に傾斜した右上り基線１４ｄと左上り基線１４ｅとからなり、表示された第２縫製基準線１４ｄ，１４ｅのうち、針板１ａの針穴１ｂの中心位置を通る第２縫製基準線１４ｄ，１４ｅには、所定間隔の目盛り１４ｆが付されている。Ｓ５の判定がＮｏで、第２縫製基準１４ｄ，１４ｅも選択されていない場合（Ｓ７：Ｎｏ）、制御装置１５により、電子ペーパー４が駆動制御されないので、前記電子ペーパー４には第１縫製基準線１４ａ，１４ｂも、第２縫製基準線１４ｄ，１４ｅも表示されない（Ｓ９）。
【００３９】
一方、Ｓ４において、下糸残量検出センサ２７の検出信号に基づいて下糸ボビン５の交換が必要であると判定されると、Ｓ１２では、制御装置１５のＲＯＭ１８から警告表示データと、警告マーク表示データと、説明文表示データとが夫々読み込まれてＲＡＭ１９のメモリに格納され、液晶ディスプレイ１２の画面に下糸ボビン５の交換を促す警告表示が行われると共に、制御装置１５により、駆動回路２５を介して電子ペーパー４が駆動制御され、図５に示すように、下糸ボビン５の近傍の電子ペーパー４の部位に警告マーク３３と、警告内容３４と、対処方法を説明した説明文３５が表示される。
【００４０】
Ｓ１３において、作業者により液晶ディスプレイ１２の画面に表示された下糸ボビン交換操作表示タッチキーが操作されると、下糸用ボビン５を交換する為の簡単な操作方法が液晶ディスプレイ１２の画面に表示されると共に、ＲＯＭ１８から下糸ボビン５の交換操作手順表示データが読み込まれてＲＡＭ１９のメモリに格納され、制御装置１５により、駆動回路２５を介して電子ペーパー４が駆動制御されると、図５に示すように、下糸ボビン５を交換して下糸をセットする為の操作手順を矢印で示した説明図が、電子ペーパー４のうちのベッド部１の前部の下糸ボビン５が収容される全回転釜の近傍の部位に表示される。
【００４１】
次に、Ｓ１０において電源ＯＦＦか否か判定され、その判定がＮｏの場合はリターンし、電源が切断された場合には、電子ペーパー４に表示された電源切断前の表示内容が保持された状態となる（Ｓ１１）。その後、この表示制御が終了する。
【００４２】
このように、制御装置１５の電源が切断された状態においても、電子ペーパー４に表示された電源切断前の表示内容が保持されるため、作業者はその表示内容を参照しながら下糸ボビン５を交換することができるので、初心者でも下糸ボビン５の交換作業を容易に能率的に行うことができる。
【００４３】
前記電子ミシンＭの作用効果について説明する。
ベッド部１の上面の電子ペーパー４に第１縫製基準線１４ａ，１４ｂ又は第２縫製基準線１４ｄ，１４ｅを表示させることができるため、この第１縫製基準線１４ａ，１４ｂ又は第２縫製基準線１４ｄ，１４ｅに加工布の布端を合せながら縫製することにより、布端から所定の間隔をおいた位置に正確に縫目を形成することができ、縫製品質を高めることができる。しかも、第１縫製基準線１４ａ，１４ｂ、第２縫製基準線１４ｄ，１４ｅに目盛り１４ｃ，１４ｆが表示されるため、これらの目盛り１４ｃ，１４ｆも縫製用の基準として活用することができる。しかも、第１縫製基準線１４ａ，１４ｂ、第２縫製基準線１４ｄ，１４ｅの何れかを選択できるので、縫製内容に応じて縫製基準線を適宜使い分けることができる。
【００４４】
ミシン使用中に下糸ボビン５の下糸の消耗時に、液晶ディスプレイ１２に下糸ボビン５の交換を促す警告表示が表示されると共に、電子ペーパー４のうちの下糸ボビン５が収容された全回転釜の近傍部位に、警告マーク３３と、警告内容３４と対処方法を説明した説明文３５とが表示され、下糸ボビン５を交換する為の交換操作手順の説明図も表示される。ミシン本体の電源が切断されて制御装置１５の電源が切断されている状態においても、電子ペーパー４は、電源切断前の表示内容を表示保持するので、作業者は、下糸ボビン５の交換作業を容易に能率的に行うことができる。
【００４５】
次に、電子ペーパー４の表示制御を部分的に変更する例について説明する。
１］前記実施例の表示制御に加えて次のような表示を実行するように構成してもよい。    ミシン使用中に、糸切り不良検出センサにより糸切り不良が検出された場合に、警告マー    クと、警告内容と対処方法を説明した説明文が、異常が発生した糸切り機構の近傍の位置に対応する電子ペーパー４の部位に表示され、糸切り機構をメンテナンスする為の操作手順の説明図も表示される。ミシンの電源が切断された状態においても、電子ペーパー４は電源切断前の表示内容を表示保持するので、作業者は、糸切り機構をメンテナンスする為の操作手順の説明図を見ながらメンテナンス作業を容易に行うことができる。
【００４６】
２］電子ペーパー４をベッド部１以外にアーム部３の前側表面に設けて、以下のような表示を行うように構成してもよい。針棒３８の下端部の縫針９の交際を行う場合に、電子ペーパー４に、縫針９を交換する為の操作手順の説明図が表示される。この場合、ミシンの電源切断状態においても、電子ペーパー４は、電源切断前に表示された表示内容を表示保持するので、作業者は、縫針９を交換する為の操作手順の説明図を見ながら交換作業を容易に能率的に行うことができる。
【００４７】
３］電子ペーパー４に第１縫製基準線１４ａ，１４ｂ、第２縫製基準線１４ｄ，１４ｅ以外に、例えば、通常縫製又は模様縫製をする際の縫い始点、縫い終り点等を示す位置指標としての基準線や基準マークを表示するように構成にしてもよい。
４］第１縫製基準線１４ａ，１４ｂ、第２縫製基準線１４ｄ，１４ｅの間隔や、目盛り１４ｃ，１４ｆの間隔が夫々異なる複数種類の縫製基準線表示データをＲＯＭ１８に記憶させておき、その複数種類の縫製基準線表示データから所望の間隔の縫製基準線表示データを選択して電子ペーパー４に表示するようにしてもよい。
５］縫製基準線は、夫々交差する直線ではなく、直線と曲線とが交差する基準線であってもよい。また、１方向のみの直線や曲線であってもよい。また、縫製基準線の線の太さや線の種類、又は線の長さを適宜変更できるようにしてもよい。
６］電子ペーパー４にフルカラーの電子ペーパーを採用し、縫製基準線の視認性を向上させるため、加工布の色や柄によって縫製基準線の色やコントラストを適宜変更するようにしてもよい。
尚、前記の電子ペーパー４への表示制御は一例にすぎず、当業者であれば本発明の趣旨を逸脱することなく、表示対象を部分的に変更したり、表示対象を追加したりして適宜実施可能である。
【実施例２】
【００４８】
次に、実施例２に係る電子ミシンＭＡについて図７に基づいて説明する。
尚、この電子ミシンＭＡのうち、前記電子ミシンＭと同様の部材に同一の符号を付して説明を省略し、異なる構成について説明する。
図７に示すように、この電子ミシンＭＡのアーム部３Ａの上面の右端部に設けられた糸立て棒には、糸供給源である糸駒３６が回転可能に装着され、アーム部３Ａの前面側の右端部には液晶ディスプレイ１２Ａが配設され、アーム部３Ａの上面からヘッド部３７の前面に亙って表示用電子ペーパー４Ａが配設されている。
【００４９】
ミシン本体に上糸をセットする場合、液晶ディスプレイ１２Ａの画面の上糸掛け操作タッチキーが操作されると、液晶ディスプレイ１２Ａに「上糸の掛け方」を簡単に説明した操作方法が表示されると共に、制御装置１５のＲＯＭ１８に予め格納されている上糸の掛け方の操作手順表示データが読み込まれてＲＡＭ１９のメモリに格納され、制御装置１５により駆動回路２５を介して電子ペーパー４Ａが駆動制御され、図７に示すように、糸駒３６から針棒３８の下端部に装着された縫針３９に至る複数の糸掛け経路部材に上糸を掛ける上糸掛け操作手順の説明図が、電子ペーパー４Ａのうちの上糸掛けの操作部材の近傍の位置に表示され、作業者は、表示された矢印の順番に従って糸掛け作業を行えばよいので、上糸掛け作業を容易に能率的に行うことができる。また、縫製中に、上糸の糸切れが発生した場合、糸切れが発生した個所の近傍の位置の電子ペーパー４Ａに糸切れ発生の警告表示が表示される。
【００５０】
次に、上記実施例２のミシンＭＡを部分的に変更した変更形態について説明する。
１］図８に示すように、ミシンの脚柱部２Ａの前面に液晶ディスプレイ１２Ａと、電子ペーパー４Ｂとが夫々設けられ、制御装置１５により駆動回路２５を介して電子ペーパー４Ｂが駆動制御されると、電子ペーパー４Ｂに、液晶ディスプレイ１２Ａで表示されない情報が表示される。
【００５１】
この場合、液晶ディスプレイ１２Ａに縫製に関わる情報が表示され、電子ペーパー４Ｂに縫製に関わる情報以外の情報であって、ユーザーに固有の情報が表示される。ユーザーに固有の情報の例として、複数の模様の中から使用頻度の高い模様だけを選択して登録したり、所望の模様を拡大・縮小、回転、反転等の編集又は適宜組み合わせて、その編集後の模様データ又は組み合わせの模様データを登録したり、所望の模様に対して針棒３８の振り幅量、送り歯の布送り量、上糸の糸張力値を夫々所望の値に設定して登録したりするためのユーザー記憶データフォルダと、そのフォルダに格納されている模様データの内容等が詳細に表示される。このため、液晶ディスプレイ１２Ａの表示画面では表示しきれない縫製に関わる情報以外の情報を、電子ペーパー４Ｂで表示できるので、ミシン本体の表面を使用して１度に多くの情報表示を行うことができる。また、ミシンの電源切断状態においても、電子ペーパー４Ｂは、電源切断前に表示された表示内容を表示保持するので、適宜必要な情報を常に表示させておくことができる。
【００５２】
２］図９に示すように、ミシンのベッド部１Ａの左側部分の上面に電子ペーパー４Ｃが設けられ、制御装置１５のＲＯＭ１８には、「ミリ表示目盛り付き縫製基準線」の表示データと、「インチ表示目盛り付き縫製基準線」の表示データとが予め格納されており、これらの何れかを選択して電子ペーパー４Ｃに表示させるように構成してもよい。
【００５３】
それ故、作業者は、必要に応じて所望のスケールの目盛りが付された縫製基準線を選択することができる。また、電子ペーパー４Ｃに、前記の２種類の縫製基準線以外に、縫製する際に縫製位置の目印となる「縫製基準マーク」や、表示目盛りに付記する「数字」や「アルファベット文字」や、「丸」や「三角」などの図形や記号を表示するように構成してもよい。
【００５４】
３］図１０に示すように、電子ペーパー４Ｄがミシン本体の脚柱部２Ａ及びアーム部３Ａの表面全体に設けられ、制御装置１５のＲＯＭ１８には、電子ペーパー４Ｄの全体に意匠として表示する画像（意匠模様）の表示データ（画像データ）が複数種類予め格納されている。液晶ディスプレイ１２Ａに表示される画像選択画面を介して作業者により所望の画像が選択されると、その選択された画像が、電子ペーパー４Ｄの全体に表示され、電源切断状態においても電源切断前の表示画像が保持される。
【００５５】
図１０には、木目模様の画像を表示した例を示すが、その他に、花柄の画像、ペット類のペット画像、風景画像等々が表示可能に構成されている。それ故、作業者は自分の好みに合わせてミシンの外表面に表示される画像（意匠模様）を自由に変更できる。
【００５６】
４］実施例１，２では、マイクロカプセル型の電気泳動方式の電子ペーパー４，４Ａ〜４Ｄを例にして説明したが、この電子ペーパー４，４Ａ〜４Ｄに限定されることなく、液晶表示方式、磁気泳動方式、又はツイストボール方式の電子ペーパーや、その他種々の構造の電子ペーパーを採用することができる。また、フルカラーの電子ペーパーを採用してもよい。
【００５７】
５］本発明は以上説明した実施例に限定されるものではなく、当業者であれば、本発明の趣旨を逸脱しない範囲で、前記実施例に種々の変更を付加して変更することができ、本発明はそれらの変更形態をも包含するものである。
【図面の簡単な説明】
【００５８】
【図１】本発明の実施例１に係る電子ミシンの斜視図である。
【図２】電子ミシンの制御系のブロック図である。
【図３】電子ペーパーに第１縫製基準線の表示状態を示す部分拡大平面図である。
【図４】電子ペーパーに第２縫製基準線の表示状態を示す部分拡大平面図である。
【図５】電子ペーパーに警告マークと説明文と操作手順の説明図とを表示した状態を示す部分拡大平面図である。
【図６】電子ペーパーの表示制御のフローチャート図である。
【図７】本発明の実施例２に係る電子ミシンの斜視図である。
【図８】実施例２の変更形態に係る電子ペーパーを設けた電子ミシンの斜視図である。
【図９】実施例２の変更形態に係る電子ペーパーを設けた電子ミシンの斜視図である。
【図１０】実施例２の変更形態の電子ペーパーを配設した電子ミシンの斜視図である。
【符号の説明】
【００５９】
Ｍ，ＭＡ      電子ミシン
１，１Ａ      ベッド部
１ａ          針板
２，２Ａ      脚柱部
４，４Ａ，４Ｂ，４Ｃ，４Ｄ  電子ペーパー
５            下糸ボビン
９，３９      縫針
１２，１２Ａ  液晶ディスプレイ
１４ａ，１４ｂ第１縫製基準線
１４ｄ，１４ｅ第２縫製基準線
１５          制御手段
１８          記憶手段
３６          糸駒
３８          針棒
【図１】
2007252764.tif 000003
【図２】
2007252764.tif 000004
【図３】
2007252764.tif 000005
【図４】
2007252764.tif 000006
【図５】
2007252764.tif 000007
【図６】
2007252764.tif 000008
【図７】
2007252764.tif 000009
【図８】
2007252764.tif 000010
【図９】
2007252764.tif 000011
【図１０】
2007252764.tif 000012